(57)【特許請求の範囲】
【請求項１】
環境の水蒸気密度より、角層の重層剥離の程度を推定し、該角層の重層剥離の程度の推定と、化粧料の保湿性とを照らし合わせて化粧料を選択することを特徴とする、化粧料の選択方法。
【請求項２】
角層の重層剥離の程度の推定が、
重層剥離を全く見ないか、ほとんど見ない（タイプ０）、
重層剥離が若干見られる（タイプ１）、
重層剥離が目立つ（タイプ２）、
重層剥離が著しい（タイプ３）の何れかに角層の状態を分類して行うものであることを特徴とする、請求項１に記載の化粧料の選択方法。
【請求項３】
環境の水蒸気密度が、
０．０１Ｋｇ／ｍ３以上である場合には、重層剥離の程度をタイプ０に、
０．００９Ｋｇ／ｍ３以上０．０１Ｋｇ／ｍ３未満である場合にはタイプ１に、
０．００７５Ｋｇ／ｍ３以上０．００９Ｋｇ／ｍ３未満である場合にはタイプ２に、
０．００７５Ｋｇ／ｍ３未満である場合には、タイプ３に分類することを特徴とする、請求項２に記載の化粧料の選択方法。
【請求項４】
前記重層剥離の程度が、
タイプ０である場合には、通常の化粧料を選択し、
タイプ１である場合には、保湿性低分子多価アルコールを含む化粧料を選択し、
タイプ２である場合には、保湿性糖類縁体を含む化粧料を選択し、
タイプ３である場合には、保湿保護膜を形成する化粧料を選択することを特徴とする、請求項２又は３に記載の化粧料の選択方法。
【発明の詳細な説明】
【０００１】
【発明の属する技術分野】
本発明は、角層状態の推定法及びそれに基づく化粧料の選択法に関する。
【０００２】
【従来の技術】
角層の状態、例えば、角層の剥離の仕方やその剥離した角質細胞の形状などは、皮膚の状態を知る上で重要な情報であることはすでに知られており、この中でも角質細胞が厚く塊として剥がれる、重層剥離の程度は、皮膚の保湿性の重要な指標であり、重層剥離の程度が多くなる、言い換えれば、多くの箇所で、より大きな塊が剥離するようになるということと、皮膚の保湿性が低下してかさかさの程度が多くなることとは同意義であると考えられている。この様な重層剥離現象は、季節と地方によって差があることは既に知られていることであるが、この様な季節や地方のどのような因子が重層剥離現象と深く関わっているのかは、まだ知られていない。また、この様な重層剥離の程度を抑えることにより、より好ましい、保湿性を有する肌が得られること、化粧料の目的の一つとして、重層剥離の程度を抑制し、皮膚の保湿性を高めることは重要な課題であり、適切且つ簡便な角層状態のモニター方法が求められていた。
【０００３】
一方、角層の状態、とりわけ、重層剥離現象が環境の水蒸気密度、更には、その代替値となりうる気温と深く関係していることについては、全く知られていない。
【０００４】
【発明が解決しようとする課題】
本発明は、この様な状況下為されたものであり、適切且つ簡便な角層状態のモニター方法を提供し、化粧料の適切な選択を行う方法を提供することを課題とする。
【０００５】
【課題の解決手段】
この様な状況に鑑みて、本発明者らは、適切且つ簡便な角層状態のモニター方法を提供し、化粧料の適切な選択を行う方法を求め、鋭意研究努力を重ねた結果、角層の状態が環境の水蒸気密度に大きな影響を受けて変化することを見いだし、この様な環境の水蒸気密度を指標にすることで、適切な角層の状態の推定が行え、これによって的確な化粧料の選択がなし得ることを見いだし、発明を完成させるに至った。即ち、本発明は、次に示す技術に関するものである。
（１）環境の水蒸気密度を指標とする、化粧料の選択法。
（２）環境の水蒸気密度の代替値として気温を用いることを特徴とする、（１）に記載の化粧料の選択法。
（３）化粧料が保湿用のものであることを特徴とする、（１）又は（２）に記載の化粧料の選択法。
（４）環境の水蒸気密度を指標として個人の角層状態を推定し、推定された角層状態に適した保湿用化粧料を選択することを特徴とする、（１）〜（３）何れかに記載の化粧料の選択法。
（５）環境の水蒸気密度を指標とする、角層状態の推定法。
（６）環境の水蒸気密度の代替値として気温を用いることを特徴とする、（５）に記載の推定法。
（７）地域を、水蒸気密度及び／又はその地域の温度で分類し、被験者の住まいと前記分類された地域とを照らし合わせ、その分類された地域より角質細胞の状態を推定することを特徴とする、化粧料の選択法。
（８）地域の分類が地図上の色の塗り分けで為されていることを特徴とする、（７）に記載の化粧料の選択法。
（９）地域を、水蒸気密度及び／又はその地域の温度ごとに分類し、色分けされていることを特徴とする、（８）に記載の化粧料の選択法における、化粧料の選択のための地図。
以下、本発明について、実施の形態を中心に更に詳細に説明を加える。
【０００６】
【発明の実施の形態】
（１）角層の重層剥離と水蒸気密度の関係
角層の重層剥離とは、角層を構成する角質細胞が大きな塊となって脱落する現象をいい、この原因としては、細胞間を接着させている成分の未分解に起因するといわれており、この様な重層剥離の起こりやすい皮膚に於いては、皮膚の保湿性に問題があることが指摘されている。即ち、これまでの報告によれば、保湿性が少なく、かさかさした皮膚に於いてはこの様な重層剥離現象が高い頻度で観察され、また、この様な重層剥離現象が頻度高く起こっている皮膚に於いては、保湿性に問題があるとされている。従って、この様な重層剥離現象を起こす因子を知ることにより、肌の保湿性を阻害する因子を知ることができ、この様な因子に対する対応手段を講じることにより、肌を健やかに保つことができる。この様な視点に立ち、個対応カウンセリング化粧料の使用者の角層の状態のデータについて、重層剥離の頻度とその他の示性項目とを因子分析にかけ、説明変数を求めたところ、後記実施例に示すごとく、水蒸気密度、言い換えれば絶対湿度が説明変数として極めて良好に相関していることを見いだした。即ち、水蒸気密度が低いほど、重層剥離が起こりやすく、保湿性の視点における、角層の状態は悪く、逆に水蒸気密度が高いと、重層剥離の起こる頻度は少なく、保湿性の視点からの角層の状態は良好といえる。更に地域の水蒸気密度とその地域における平均気温との間にも極めて良好な相関関係が存在し、変数として水蒸気密度に代替してその地域の気温も使用できることが判明した。これに基づけば、水蒸気密度乃至は気温の代表値として、平均水蒸気密度或いは平均気温などを使用するとすれば、この様な値は定数に近い性質を有するので、あらかじめこの様な地域特性値を用いて、地域ごとに地図に色分けし、この様な地図を用いて角層の状態を推定することもできる。この様な形態は、視覚的に角層の状態を認知しうるので特に好ましい。また、水蒸気密度や気温は地域のみならず季節によっても変化するものなので、季節ごとのこの様な地図を作成することも可能である。又、水蒸気密度や気温は季節により変わるものであるが、この様な水蒸気密度や気温の変化に従って、角層の状態も変化し、この様な水蒸気密度や気温の変化を指標にすることにより、保湿性の観点における、肌の季節変化もとらえることができる。又、この様な水蒸気密度と気温の代表値であるが、上記のごとくに平均を用いるのが一般的であるが、本発明に於いては、相対的な位置づけができればよいので、特に平均値にとらわれない。例えば、メジアンや最高温度、最低温度などを使用することも可能である。過去のデータが揃っており、相互比較がやりやすいメリットを生かすならば、通常用いられている平均値を用いるのが好ましい。
【０００７】
（２）本発明の角層状態の推定法
本発明の角層状態の推定法は上記の蒸気密度と角層の重層剥離の状態の関係を利用し、周りの環境状態より角層の状態を推定することを特徴とする。即ち、上記のごとく、周囲の環境に於いて水蒸気密度が低い状態に於いては、角層の状態は重層剥離の頻度が高く、保湿の面からは、好ましくない状態にあり、水蒸気密度が高い状態に於いては、角層の状態は重層剥離の頻度が低く、保湿の面からは好ましい状態にある。これは、個体差はあるものの、周囲の状況、言い換えれば、水蒸気密度の高低、その律則関数である気温により、角層の状態が影響されることを意味し、この様な水蒸気密度乃至は気温を知ることにより、個体における相対的な角層状態を推定できる。この様な推定が本発明の角層状態の推定法である。更に、この様な推定法の応用としての使用には、被験者を同じ水蒸気密度環境下に置き，皮膚生理が平衡に達するのを待ち、テープストリッピングなどで角質細胞を採取し、この重層剥離の程度を調べることにより、被験者個有の角層の保湿能を知ることができる。この様な応用も本発明の技術的範囲に属する。
【０００８】
（３）本発明の化粧料の選択法
本発明の化粧料の選択法は、上記角層状態の推定法を利用して、個人の角層の状態を推定し、推定された角層状態に適した化粧料を選択することを特徴とする。角層状態、言い換えれば角層の重層剥離の程度とその程度に適した化粧料については、現在構築された資料より、次の指針が見いだされている。即ち、重層剥離を全く見ないか、ほとんど見ない様な肌（タイプ０）には、通常の化粧料による処置を選択すればよく、重層剥離が若干見られるようになってきたやや保湿性が低下した皮膚（タイプ１）には、グリセリンなどの保湿性低分子多価アルコールを含む化粧料での処置を選択し、重層剥離が目立ってきた皮膚（タイプ２）には、ヒアルロン酸ナトリウムやトレハロース、硫酸化トレハロースナトリウム等の保湿性糖類縁体などを含む化粧料や油性成分を含有する化粧料で、重層剥離によって損なわれた保護機能を補いながら皮膚の保湿を行う化粧料による処置を選択し、更に重層剥離の著しい皮膚（タイプ３）には、ポリホスファチジルオキシエチルメタクリレート等の保湿保護膜を形成する高分子保湿剤を含む化粧料と固形の油性成分を含有する化粧料による処置を選択すればよいとされている。本発明の化粧料の選択法に於いては、この選択基準の重層剥離を水蒸気密度の代表値乃至は気温の代表値に置換して同様に選択すれば良く、この様に選択することにより、保湿性に関して、適した化粧料を、適切に、客観的に且つ簡便に選択することができる。この様な置き換えは、水蒸気密度（ｋｇ／ｍ３）についてあげれば、０．０１以上であれば、皮膚タイプ０と見なし、通常の化粧料による処理を選択し、０．００９以上０．０１未満であれば、皮膚タイプ１と見なし、グリセリンなどの保湿性低分子多価アルコールを含む化粧料での処置を選択し、０．００７５以上０．００９未満であれば、タイプ２であると見なし、ヒアルロン酸ナトリウムやトレハロース、硫酸化トレハロースナトリウム等の保湿性糖類縁体などを含む化粧料や油性成分を含有する化粧料で、重層剥離によって損なわれた保護機能を補いながら皮膚の保湿を行う化粧料による処置を選択し、０．００７５未満であれば、タイプ３と見なし、ポリホスファチジルオキシエチルメタクリレート等の保湿保護膜を形成する高分子保湿剤を含む化粧料と固形の油性成分を含有する化粧料による処置を選択すればよいという指標が例示できる。
【０００９】
【実施例】
以下に、実施例を挙げて本発明について更に詳細に説明を加えるが、本発明がこれら実施例にのみ限定を受けないことはいうまでもない。
【００１０】
＜実施例１＞
１９９６年１２月から１９９７年１１月までの間に、テープストリッピングによって角質細胞を採取し、化粧料の選択を行った、個対応カウンセリング化粧料の使用者１１２２０８人の角質細胞の観察データより、使用者の住んでいる地域と角層の重層剥離の程度（評点１：重層剥離が全く観察されない、評点２：顕微鏡の視野に１、２個の重層剥離が観察される、評点３：視野に数個の重層剥離が観察される、評点４：視野の半分程度を重層剥離がしめる、評点５：ほぼ全面が重層剥離の基準）との関係を調べた。この関係を図１に示す。これらの地域の特性を種々調べて、相関関係のありそうな因子を絞った。その結果、平均気温と蒸気密度（絶対湿度）が良く相関していることが判明した。日本における地域別の年平均気温分布図と絶対湿度の分布図を図２、３に示す。又、相対湿度の分布図も図４に示す。これらより、重層剥離の程度は年平均気温と絶対湿度と良好な相関性を有し、相対湿度とはあまり相関していないことがわかる。このデータを元に重層剥離の程度と水蒸気密度の回帰を調べたところ、図５に示すごとく相関係数―０．６０１（危険率１％以下）で良好な相関関係を有していることがわかった。重層剥離と年平均気温との関係においては、図６に示すごとく、水蒸気圧には及ばないものの、相関係数―０．５５６（危険率１％以下）で良好な相関関係を有していることが判明した。又、気温と水蒸気密度の関係は図７に示すごとくであり、これは重層剥離の説明変数が蒸気密度であり、この蒸気密度の説明変数が年平均気温であったことがわかる。
【００１１】
＜実施例２＞
実施例の結果を基に、日本全国より、無作為に選抜したパネラー２０名について、ブラインドでテープストリッピングで採取した角質細胞をゲンチアナバイオレットとブリリアントグリーンで染色し、角層の重層剥離の程度を観察し皮膚タイプを鑑別した。別途、独立に住所より皮膚タイプを推定した。一致性を表１に示す。これより地域の蒸気密度特性により、かなり角層の現状に合わせた化粧料の選択が為しうることがわかる。
【００１２】
【表１】
0003621025.tif 000002
【００１３】
＜実施例３＞
全国より、無作為に選抜したパネラー１２名を住所を元に、本発明の化粧料の選択法に従って、下記に示す化粧料から選択し、１ヶ月間使用してもらった。使用法は、通常使用している使用法に準じてもらった。使用テスト後化粧料が肌にあっているか否かを、＋＋：非常に肌に合っている、＋：かなり肌に合っている、±：まあまあ肌に合っている、−：肌にあっていないの基準で判定してもらった。結果は、＋＋が４名、＋が７名、±が１名で良好な結果であった。これより本発明の化粧料の選択法が適切であったことがわかる。
（化粧料セット０；皮膚タイプ０の人用）
１，３−ブタンジオール                    ５    重量部
アスコルビン酸ナトリウム                  ０．１重量部
エタノール                                ６    重量部
ポリエチレングリコール６０００            ２    重量部
メチルパラベン                            ０．１重量部
水                                      ８６．８重量部
（化粧料セット１：皮膚タイプ１の人用）
１，３−ブタンジオール                    ５    重量部
グリセリン                                ５    重量部
ジプロピレングリコール                    ２    重量部
アスコルビン酸ナトリウム                  ０．１重量部
エタノール                                ６    重量部
ポリエチレングリコール６０００            ２    重量部
メチルパラベン                            ０．１重量部
水                                      ７９．８重量部
（化粧料セット２：皮膚タイプ２の人用）
化粧水
１，３−ブタンジオール                    ５    重量部
グリセリン                                ５    重量部
硫酸化トレハロースナトリウム              ０．１重量部
ヒアルロン酸ナトリウム                    ０．１重量部
アスコルビン酸ナトリウム                  ０．１重量部
エタノール                                ６    重量部
ポリエチレングリコール６０００            ２    重量部
メチルパラベン                            ０．１重量部
水                                      ８１．６重量部
乳液
スクワラン                              １０    重量部
オリーブ油                                ３    重量部
ホホバ油                                  ２    重量部
１，２−ペンタンジオール                  ４    重量部
イソペンチルグリコール                    ４    重量部
アクリル酸・アクリル酸アルキルポリマー    ０．６重量部
ソルビタンセスキオレート                  １    重量部
苛性カリ                                  ０．２重量部
水                                      ７５．２重量部
（化粧料セット３：皮膚タイプ３の人用）
１，３−ブタンジオール                    ５    重量部
グリセリン                              １０    重量部
ポリホスファチジルオキシエチル
メタクリレート                            ０．１重量部
アスコルビン酸ナトリウム                  ０．１重量部
エタノール                                ６    重量部
ポリエチレングリコール６０００            ２    重量部
メチルパラベン                            ０．１重量部
水                                      ７６．７重量部
乳液
スクワラン                                ５    重量部
マイクロクリスタリンワックス              ５    重量部
カルナウバワックス                        ３    重量部
ホホバ油                                  ２    重量部
１，２−ペンタンジオール                  ４    重量部
イソペンチルグリコール                    ４    重量部
アクリル酸・アクリル酸アルキルポリマー    ０．６重量部
ソルビタンセスキオレート                  １    重量部
ヘパリン類似物質                          ０．１重量部
苛性カリ                                  ０．２重量部
水                                      ７５．１重量部
【００１４】
【発明の効果】
本発明によれば、適切且つ簡便な角層状態のモニター方法を提供し、化粧料の適切な選択を行う方法を提供することができる。
【図面の簡単な説明】
【図１】重層剥離の地域差を示す図である。
【図２】絶対湿度（水蒸気密度）の地域差を示す図である。
【図３】年平均気温分布を示す図である。
【図４】相対湿度の地域差を示す図である。
【図５】重層剥離と蒸気密度との関係を示す図である。
【図６】重層剥離と年平均気温との関係を示す図である。
【図７】蒸気密度と年平均気温の関係を示す図である。
【図１】
0003621025.tif 000003
【図２】
0003621025.tif 000004
【図３】
0003621025.tif 000005
【図４】
0003621025.tif 000006
【図５】
0003621025.tif 000007
【図６】
0003621025.tif 000008
【図７】
0003621025.tif 000009